(57)【要約】取り囲み成形品モジュールは、外部から見えない分割バー組立体を組み込んでいる。外部から見えない分割バーは、車両の固定窓及び可動窓の外面の平面を超えて外方に伸びない支持体又はガラス封入部を有する。該分割バーは、これらの窓端縁の間に突き合わせ継手を提供する。支持体は、可動窓に固定されたガラス封入部から外方に伸びる案内部にて軌道に沿って進めることを可能にする案内部材も保持している。ガラスラン溝が可動窓の後垂直端縁に沿って支持体に固定されている。風切音が改善され、また、変位無しの面一なガラス窓の外観を有する効果的な窓案内部の軌道システムが提供される。
2008510656.tif 000002
【特許請求の範囲】
【請求項１】
車両の関係した固定窓と関係した可動窓との間に受け入れられた分割バー組立体において、
関係した固定窓に固定し得るようにされた支持体と、
関係した可動窓に固定され且つその内面から伸び得るようにされた案内部と、
支持体から伸びる案内部材であって、内部に案内部を受け入れ得る寸法とされたキャビティを有し、該キャビティはその少なくとも一部分に亙って低摩擦材料を有する前記案内部材とを備える、分割バー組立体。
【請求項２】
請求項１に記載の分割バー組立体において、可動窓の関係した内面と係合し得るよう案内部材から外方に伸びる少なくとも１つの密封リップを更に備える、分割バー組立体。
【請求項３】
請求項１に記載の分割バー組立体において、案内部に作用可能に固定され且つ案内部を被覆する関係にて配設された内側ガーニッシュを更に備える、分割バー組立体。
【請求項４】
請求項１に記載の分割バー組立体において、案内部は可動窓の１つの面のみから伸びる、分割バー組立体。
【請求項５】
請求項１に記載の分割バー組立体において、案内部は、可動窓の内面に強固に固定され、また、窓部の内面から隔てられた第一の脚部を有する、分割バー組立体。
【請求項６】
請求項５に記載の分割バー組立体において、支持体は、その内部に案内部の第一の脚部を受け入れ得る寸法とされた溝を有する、分割バー組立体。
【請求項７】
請求項６に記載の分割バー組立体において、支持体は、可動窓の内面と密封係合し得るよう支持体から伸びる少なくとも１つの密封リップを有する、分割バー組立体。
【請求項８】
請求項７に記載の分割バー組立体において、支持体は固定窓の１つの面のみから伸びる、分割バー組立体。
【請求項９】
請求項８に記載の分割バー組立体において、支持体は、固定窓の内面に強固に固定された第一の脚部を有する、分割バー組立体。
【請求項１０】
請求項９に記載の分割バー組立体において、支持体は、可動窓と固定窓の対面する端縁との間を伸びると共に、窓部の外面にて終わる第二の脚部を有する、分割バー組立体。
【請求項１１】
請求項１０に記載の分割バー組立体において、支持体の第一の脚部と重なり合う第一の脚部と、溝と重なり合う第二の脚部とを有する支持体に固定された内側ガーニッシュ組立体を更に備える、分割バー組立体。
【発明の詳細な説明】
【発明の詳細な説明】
【０００１】
本出願は、その内容を参考として引用し本明細書に含めた、２００４年８月２４日付けで出願された米国仮特許出願第６０／６０３，９７７号による優先権を主張するものである。
【技術分野】
【０００２】
本発明は、全体として、車両の窓支持構造体、より具体的には、密封システム及び車両の固定窓と可動窓との間の境を形成する外部から見えない分割バーモジュラー組立体に関する。
【背景技術】
【０００３】
車両の窓開口部のヘッダとベルトライン部分との間にて全体として垂直方向に伸びる分割バーを提供することが既知である。該分割バーは、典型的に、固定窓と関係した窓封入組立体に取り付けられ又は成形される。
【０００４】
残念なことに、既知の配置体は、風切音、審美性又は外観に十分に対応せず、隣接する可動窓に対するガラスの案内軌道システム内に一体的に組み込まれていない。このため、ガラスの変位がない面一な外観を提供し、特に、可動窓に対して十分に密封する取り囲みモジュール内に組み込まれた外観のものを提供することが望ましいであろう。また、窓が分割バーに対して面一な外観を提供するならば、有益であろう。審美的に、これは、前側窓すなわち可動窓と後側窓すなわち固定窓との間にほぼ連続的なガラス様の外観の仕上げ状態を提供する平滑な線を形成することになろう。更に、既知の分割バー組立体は、窓の外面又は平面から外方に伸びている。外方に伸びる分割バーは、上述した審美的外観の問題を別にして、望ましくない抗力を形成し且つ風切音を発生させる。
【０００５】
従来の密封システムは、車両に対する窓の周縁の回りを密封する多数の構成要素をしばしば含んでいる。更に、これらの組立体は、車体に対して滑らかな遷移部を提供する、すなわち、混じり合い且つ車両の外観に対して審美的に好ましい外観を提供しなければならない。このように、ガラスラン溝の外観を向上させるため、ガラスラン溝が設けられた成形品が提供される。同様に、車両の内部に沿った窓開口部の回りに心地良い外観を追加するため、通常、別個のすなわち内側のガーニッシュトリムが提供される。この場合にも、ガラスラン溝、ベルトウェザーストリップ、装飾用成形品、内側ガーニッシュ等を固定するため通常、多数の組み立て工程が必要とされる。構成要素の各々は、更なるコスト及び組み立て工程を追加することになる。このように、その詳細を参考として引用し本明細書に含めた、米国特許第５，７０２，１４８号明細書に図示し且つ説明されたような取り囲み成形モジュールを提供することが本出願の譲渡人により提案されている。米国特許第５，７０２，１４８号明細書に記載されているように、固定のガラス組立体は、典型的に、分割バーを有しており、該分割バーの一部分はガラスラン溝を支持し、第二の部分は、固定窓の周縁の回りに成形したエラストマー材料にて形成されている。
【特許文献１】米国特許第５，７０２，１４８号明細書
【発明の開示】
【発明が解決しようとする課題】
【０００６】
車両の窓の回りを十分に密封し、組み立て時の問題点に対処し、また、滑らかで且つ面一な外観を有し且つ、風切音を改良する分割バー組立体を提供するようにモジュラー式成形組立体を改良することが望まれる。
【課題を解決するための手段】
【０００７】
可動窓と固定窓との間の境界面を渡り且つ面一なガラスの外観を提供する、すなわち窓の外面を超えて突出せずに、可動窓を案内し且つ密封する外部から見えない分割バーが提供される。
【０００８】
分割バーの１つの好ましい実施の形態は、固定窓に固定された第一の部分又は支持体と、可動窓に固定された第二の部分又は案内部とを有している。該案内部は、低摩擦材料を含む支持体の案内部材キャビティ内に受け入れられる。
【０００９】
少なくとも１つの密封シールリップが可動窓の内面と係合し得るよう支持体から伸びている。
１つの好ましい配置体において、車両の内面に沿って審美的なカバーを提供するため、内側ガーニッシュ組立体が提供される。
【００１０】
支持体は、ガラスラン溝を受け入れるキャビティを有することが好ましい。１つの好ましい配置体におけるガラスラン溝は低摩擦材料を含む。
分割バー組立体は、窓の外面まで伸びる部分を有していない。
【００１１】
本発明の主要な利点は、この配置体と関係した改良された審美性である。
本発明により提供される別の利点は、低プロファイル即ち薄型であり、また、関係した風切音が減少する点である。
【００１２】
更に別の利点は、取り囲み成形モジュール内に、組立体を組み込むことが容易であり、このことは組み立てを促進する点である。
本発明の更にその他の特徴及び利点は以下の詳細な説明を読み且つ理解することにより当該技術の当業者に明らかになるであろう。
【発明を実施するための最良の形態】
【００１３】
図１及び図２を簡単に参照すると、当該出願の譲受人が同時に所有する米国特許第５，７０２，１４８号明細書に開示された先行技術の配置体が図示されている。より具体的には、先行技術の配置体は、単一物の取り囲み成形品２２と、ガラスラン溝２４と、ベルトラインの外側シール２６と、分割器すなわち分割バー２８とを備える成形品モジュール２０を示す。分割バーは、可動窓３０と固定窓３２との間に介在させてある（図２）。図１を再度参照すると、単一物の取り囲み成形品は、ベルトライン部分３４と、Ｂピラー３６と、頂部又はヘッダ部分３８と、傾斜する後側部分４０とを有している。取り付けフランジ部分及び一連の取り付けクリップ４２は、モジュール又は取り囲み成形品を車両に対して支持し且つ保持することを可能にする。
【００１４】
図２に最も良く示すように、先行技術の分割バー組立体２８は、全体として平行な関係にあり且つガラスラン溝２４を受け入れるキャビティ５４を形成する第一の脚部５０と、第二の脚部５２とを有する。ガラスラン溝は、可動窓３０の第一の面すなわち外面３０ａと、第二の面すなわち内面３０ｂとそれぞれ係合する密封リップ５６、５８を有する１対の脚部を備えている。理解されるように、ガラスラン溝２４は、典型的に、密封リップに沿い且つガラスラン溝の基部６２内にフロック６０のような低摩擦材料を典型的に有しており、可動窓に対し摺動する低摩擦係合状態を提供する。
【００１５】
従来の分割バー組立体２８は、固定窓３２の周端縁を封入する成形したエラストマー材料７０を更に有する。より具体的には、エラストマー窓封入部７０は、固定窓３２の対向した第一の面すなわち外面３２ａと、第二の面すなわち内面３２ｂとに係合する。例えば、窓封入部は、インサート成形過程により形成されることが好ましく、この場合、エラストマー材料は、第一の脚部５０及び第二の脚部５２に接合され且つ外側要素に対するシールを形成する。更に、取り囲み成形品２２の脚部７２は、分割バーとエラストマー材料との間の凹所７４内に受け入れられて、車両の分割バー領域内に審美的なカバーを提供する。
【００１６】
この取り囲み成形品モジュールは、商業的に成功しているものの、残念なことに、分割バーは、可動窓と固定窓との間の境界面に盛り上がった面、すなわち見栄えの良くない盛り上がった分割バーを提供し、また、分割バーが窓の外面から突出する程度が大きいため、風切音の発生の原因となる。
【００１７】
図３及び図４には、外部から見えない分割バー組立体８０として本明細書にて説明したものに関する本発明の主題事項が特に示されている。外部から見えない分割バーは、可動窓３０と固定窓３２との間の境界面を渡る。固定窓に成形されたエラストマー材料であることが好ましい窓封入部８２は、固定窓の全周の回りを伸びている。車体ＶＢと当接し又は該車体ＶＢの隣接する固定窓の３つの端縁に沿って、エラストマー封入部８２は、固定窓の内面３２ｂ及び外端縁３２ｃと係合するのみならず、固定窓の外面３２ａの外側伸長部の回りをも伸びている。しかし、外部から見えない分割バー組立体と接続する端縁に沿った窓封入部は、固定窓の内面３２ｂ及び外端縁３２ｃとのみ係合する。参照し易くするため、外部から見えない分割バー領域のエラストマー封入部のこの部分は、支持体８４とも呼ぶ。支持体は、ヘッダとベルトラインとの間をほぼ垂直方向に亙り、また、好ましい配置体において、エラストマー材料内に実質的に封入された金属又はプラスチック支持部材のような剛性な支持部材８６を有している。好ましい配置体において、支持部材８６は、固定窓の内面に対してほぼ平行に伸びる第一の脚部８６ａ（エラストマー材料中に封入されない１つの面を有することもできる）と、車両の内部に向けてほぼ垂直に伸びる第二の脚部８６ｂと、可動窓の内面からほぼ平行に且つ隔たった関係にて第二の脚部から前方に伸びる第三の脚部８６ｃ（図４）とを有することができる。支持体８４のエラストマー材料は、成形ゴム、ＴＰＶ（熱可塑性加硫物）、ＰＶＣ（ポリ塩化ビニル）、又は熱可塑性樹脂のような広範囲に亙る適宜な材料にて形成され、これらの材料は、固定窓の内面３２ｂ及び外端縁３２ｃに接着剤にて固定、成形又はゴム接合されている。換言すれば、窓封入部又は支持体のこの部分は、可動窓と固定窓との間に突き合わせ継手を提供し、また、可動窓及び固定窓の外面により画成された平面を超えて外方に伸びない。固定窓の外面３２ａの上に受け入れられる支持体の部分は無く、窓の外面の平面を超えて伸びる部分も無い。この面一な配置体は、分割バー組立体の審美性を向上させ、また、風切音に関する問題点を減少させる。
【００１８】
参照番号９０で特定した取り囲み成形品の一部分が支持体８４に固定されている。該取り囲み成形品の部分は、支持体の第二の脚部８６ｂに対して平行に伸び且つ締結具９４によって該第二の脚部８６ｂに固定されることが好ましい、支持体に固定された第一の部分すなわち脚部９２を有している。しかし、本発明の範囲及び意図から逸脱せずにその他の固定装置を使用することが可能であることが理解される。取り囲み成形品の第二の部分９６及び第三の部分９８は、隔てたほぼ平行な関係に配設され、また、これらの部分は、可動窓の内面に対してほぼ平行に伸びる１対の隔たった脚部として示した凹所又はキャビティ１００を画成する。凹所１００を画成する第二の脚部９６及び第三の脚部９８は、その垂直方向後端縁に隣接して可動窓の内面に固定された案内部の脚部１１０又は窓封入部１１２を受け入れ得るようにされた案内部材を形成する。可動窓の窓封入部は、可動窓の内面に固定され、例えば、接着剤にて固定された成形ゴム、ＥＰＤＭ、ＴＰＶ、ＰＶＣ等のような任意の適宜な材料とすることができる。窓封入部１１２は、また可動窓に対し成形し又はゴム接合することもできる。脚部１１０は、キャビティ１００内に受け入れ得る寸法とされ、また、可動窓の後垂直端縁を案内し又は軌道を提供する機能を果たす。この動きを容易にするため、脚部９６、９８と案内脚部１１０との間に介在させた、全体としてＵ字形のインサート１１４として示した低摩擦材料がキャビティ内に提供される。低摩擦材料の全体として平行な脚部１１４ａ、１１４ｂは、僅かに屈曲させ又は湾曲させて案内脚部１１０と係合するようにすることができる。この配置体は、可動窓の後垂直端縁を軌道にて進めるための望ましい低摩擦の摺動係合状態を提供する。
【００１９】
少なくとも１つ、好ましくは、１対の密封案内リップ１１８を有するガラスラン溝１１６が成形品に固定されている。この密封案内リップは、低摩擦材料にて形成されるか又はその選んだ部分に沿って低摩擦材料を含み可動窓の内面との望ましい低摩擦の摺動密封係合状態を提供する。図３及び図４に示すように、ガラスラン溝は、第一の端縁１２０が成形品の脚部９６に受けられたフック形状又は溝を画成するように形成される。脚部１２２は、第一の脚部と取り囲み成形品本体９０の残りの部分との間に形成された凹所内に受け入れられ且つ成形品本体に対するスナップ嵌め接続部を提供し得るような形状とされている。このことは、ガラスラン溝１１６を支持体に効果的に固定する一方、該支持体は固定窓に固定される。凹所１００内に受け入れられた案内脚部１１０のため、可動窓の後垂直端縁に沿って効果的な窓シール及び支持体が提供される。
【００２０】
審美的な目的のため、外部から見えない分割バー組立体８０の一部として内側ガーニッシュ１３０が提供される。該ガーニッシュ１３０は、外部から見えない分割バー組立体及び取り囲み成形品の他の部分に機械的に固定された完全に成形した取り囲み構成要素である。例えば、１つの好ましい材料は、ポリプロピレンのようなプラスチックであるが、本発明は、この特定型式の材料に限定されるべきではない。内側ガーニッシュは、外部から見えない分割バー組立体に沿って支持体に機械的に固定されたものとして示してあるが、取り囲み成形品モジュールのその他の領域に沿って内側ガーニッシュはクリップにより固定可能な脚部を有するようにしてもよい（外部から見えない分割バー組立体に沿った左側及び右側断面を参照）。内側ガーニッシュは、上張りすなわちカバー部分１３４、１３６を有し、該カバー部分は、組立体に対し審美的な仕上げ状態を提供し、外部から見えないバー組立体の個別の構成要素が車両内部から見ることができるようにする。
【００２１】
取り囲み成形品９０は、その他の構成要素と別個に押出し成形し又は形成することが好ましい一方、好ましい配置体におけるガラスラン溝１１６は、上側Ｂピラーにて成形し且つ分割バー内にてヘッダに成形されることが理解されよう。好ましい材料は、ＥＰＤＭ又はプラスチックであるが、プラスチックはコストが削減されるという更なる利点を有する。
【００２２】
好ましくは、固定窓３２の前垂直端縁及び可動窓３０の後垂直端縁は、例えば、ブラックアウトフリット１４０にて薄黒くするものとする。該フリットは、外部から見えない分割バー組立体の残りの構成要素を遮蔽し又は隠すという審美的な理由のため、提供される。
【００２３】
図５には、可動窓に隣接するヘッダ部分の断面図が示されている。この領域内の取り囲み成形品１５０は、全体として従来のガラスラン溝１６０を受け入れる溝１５６を形成する１対の隔てた脚部１５２、１５４を有する。ガラスラン溝の脚部は、可動窓の内面及び外面と係合する密封リップ１６２、１６４を有する。取り囲み成形品モジュールは、内側トリム１７０を固定する脚部１６６を更に有する。可動窓の内面３０ｂに固定された案内部又は窓封入部１１２は、可動窓の上側端縁に達する前に終端となることも図５から明らかである。このことは、可動窓の部分をヘッダに沿ってガラスラン溝内に効果的に受け入れることを許容する。
【００２４】
図６には、ヘッダ部分に沿って且つ固定窓領域を亙る断面図が示されている。この図には、外部から見えない分割バー組立体の支持組立体８４を例えば、締結具１５０を介して車体に固定する方法が更に示されており、また、内側トリム１７０がこの領域内にて外部から見えない分割バー組立体を効果的に被覆する方法、取り囲み成形品と固定窓の窓封入部との間の相互の嵌合部を被覆する方法が更に示されている。
【００２５】
図４ないし図６に図示されているが、ドアシール組立体は、車体のフランジに固定され、また、該ドアシール組立体は、ドアの部分と密封係合するように伸びる中空の球状部分を有している。これらの構成要素は図示されているが、本発明の一部を形成するものではなく、このため、これに関する更なる説明は不要であると考えられる。
【００２６】
本発明は、好ましい実施の形態に関して説明した。勿論、改変例及び変更例は、当該技術の当業者に明らかになるであろうし、本発明は説明した実施の形態に限定されるべきではない。
【図面の簡単な説明】
【００２７】
【図１】可動窓と、固定窓と関係して使用される先行技術の成形品モジュールの立面図である。
【図２】全体として図１の線２−２に沿った断面図である。
【図３】本発明の１つの好ましい実施の形態を示す部分断面図とした図である。
【図４】全体として図３の線４−４に沿った断面図である。
【図５】全体として図３の可動窓の線５−５に沿った断面図である。
【図６】全体として図３の固定窓部分の線６−６に沿った断面図である。
【図１】
2008510656.tif 000003
【図２】
2008510656.tif 000004
【図３】
2008510656.tif 000005
【図４】
2008510656.tif 000006
【図５】
2008510656.tif 000007
【図６】
2008510656.tif 000008
【国際調査報告】
2008510656.tif 000009